(57)【要約】【課題】全体として簡素化、軽量化を図る。【解決手段】テーブル１１と、テーブル１１の下面にＹ字状に配置する３組の脚ユニット２０、２０…とを設け、各脚ユニット２０は、モータ駆動のねじ軸２３を駆動源とするスライダクランク機構の脚２５と、脚２５の屈曲部に装着する接地用の車輪２６とを有する。【選択図】図１
2014008366.tif 000002
【特許請求の範囲】
【請求項１】
練習者が搭乗してスイング可能なテーブルと、該テーブルの下面にＹ字状に配置する３組の脚ユニットとを備えてなり、該脚ユニットは、それぞれモータ駆動のねじ軸を駆動源とするスライダクランク機構の脚と、該脚の屈曲部に装着する接地用の車輪とを有し、１組を前記テーブルの中心軸上に置くとともに、各組の前記車輪を前記テーブルの外周縁に向けて配置することを特徴とするゴルフ練習用の傾斜台。
【請求項２】
前記各車輪は、前記脚の高さを揃えるとき、前記テーブルの中心軸上に頂点を有する二等辺三角形を形成することを特徴とする請求項１記載のゴルフ練習用の傾斜台。
【請求項３】
前記テーブル上には、前記脚ユニットを制御する押しボタンスイッチを配設することを特徴とする請求項１または請求項２記載のゴルフ練習用の傾斜台。
【請求項４】
前記テーブルは、外形半月状に形成することを特徴とする請求項１ないし請求項３のいずれか記載のゴルフ練習用の傾斜台。
【発明の詳細な説明】
【技術分野】
【０００１】
この発明は、ゴルフの練習者がスイングの練習用に使用するゴルフ練習用の傾斜台に関する。
【背景技術】
【０００２】
ゴルフの打球の際のスイングの練習用として、ゴルフコースの起伏を想定する傾斜面を模擬するために、練習者が立ち得るテーブルの傾斜方向、傾斜角度を任意に可変設定し得るゴルフ練習用の傾斜台が提案されている（たとえば特許文献１）。
【０００３】
従来のゴルフ練習用の傾斜台は、１組の球面軸受形の支持装置と、一対の昇降装置とによってテーブルを３点支持する構成である。各昇降装置を個別に適宜に昇降させると、球面軸受形の支持装置を中心にしてテーブルを前後左右に傾け、任意の傾斜方向、傾斜角度を実現することができる。なお、支持装置には、ゴルフボールをショットごとに自動供給するティーアップ装置を組み込むことも可能である。
【先行技術文献】
【特許文献】
【０００４】
【特許文献１】特開２０１２−１０５７８８号公報
【発明の概要】
【発明が解決しようとする課題】
【０００５】
かかる従来技術によるときは、球面軸受形の支持装置は、殊にティーアップ装置を組み込む場合、大形大重量となることが避けられない上、支持装置、昇降装置は、共通の頑丈な基板上に設置する必要があり、基板とテーブルとの間に過大な設置スペースを確保しなければならず、使い勝手がよくないという問題があった。
【０００６】
そこで、この発明の目的は、かかる従来技術の問題に鑑み、電動操作の３組の脚ユニットを使用することによって、テーブルの必要高さを低く抑えて使い勝手をよくするとともに、全体として簡素化、軽量化を図ることができるゴルフ練習用の傾斜台を提供することにある。
【課題を解決するための手段】
【０００７】
かかる目的を達成するためのこの発明の構成は、練習者が搭乗してスイング可能なテーブルと、テーブルの下面にＹ字状に配置する３組の脚ユニットとを備えてなり、脚ユニットは、それぞれモータ駆動のねじ軸を駆動源とするスライダクランク機構の脚と、脚の屈曲部に装着する接地用の車輪とを有し、１組をテーブルの中心軸上に置くとともに、各組の車輪をテーブルの外周縁に向けて配置することをその要旨とする。
【０００８】
なお、各車輪は、脚の高さを揃えるとき、テーブルの中心軸上に頂点を有する二等辺三角形を形成することができる。
【０００９】
また、テーブル上には、脚ユニットを制御する押しボタンスイッチを配設してもよく、テーブルは、外形半月状に形成してもよい。
【発明の効果】
【００１０】
かかる発明の構成によるときは、テーブルは、３組の脚ユニットの接地用の車輪を介して３点支持されており、各脚ユニットは、モータ駆動のねじ軸を駆動源とするスライダクランク機構の脚の高さを可変することができる。そこで、テーブルは、各脚ユニットの脚の高さを個別に任意に設定することにより、任意の傾斜方向、傾斜角度を実現することができる。なお、テーブルは、３組の脚ユニットをＹ字状に配置して各脚ユニットの車輪を外周縁に向けることにより、練習者の立ち位置やスイング動作などによって極端に不安定になるおそれがない。
【００１１】
各脚ユニットは、すべて同一の構成に揃えることができ、それぞれスライダクランク機構の脚に接地用の車輪を有するため、共通の基板を設ける必要がなく、全体構成を簡素化して軽量化することができる。また、テーブルの下の設置スペースも僅かで済み、使い勝手を向上させることができる。
【００１２】
各車輪がテーブルの中心軸上に頂点を有する二等辺三角形を形成するように３組の脚ユニットを配置すれば、テーブルの安定性を一層向上させることができる。
【００１３】
テーブル上に配設する押しボタンスイッチは、テーブル上に立つ練習者が、たとえば自分が使用中のゴルフクラブを利用して簡単に押し操作可能であり、テーブルの傾き方向、傾き角度の設定調節に極めて便利である。なお、押しボタンスイッチは、脚の高さを高くする「高」、低くする「低」の各操作用の２個１組のスイッチを各脚ユニットごとに個別に設けることが好ましい。
【００１４】
外形半月状のテーブルは、上面が広く感じられる上、長い直線部をスイング方向に想定することができ、一層良好な使い勝手を容易に実現することができる。ただし、「半月状」とは、半円と、半円の直径を一方の長辺とする長方形とを合わせた形状をいう。
【図面の簡単な説明】
【００１５】
【図１】テーブルの下面図
【図２】脚ユニットの全体側面説明図
【図３】脚ユニットの全体斜視図
【図４】使用状態説明斜視図
【発明を実施するための形態】
【００１６】
以下、図面を以って発明の実施の形態を説明する。
【００１７】
ゴルフ練習用の傾斜台は、外形半月状のテーブル１１の下面に３組の脚ユニット２０、２０…を装着してなる（図１）。
【００１８】
テーブル１１は、半円１１ａと、長方形１１ｂとを合体した形状である。すなわち、長方形１１ｂは、半円１１ａの直径ＡＢを一方の長辺とし、半円１１ａの両端Ａ、Ｂから等距離の角部Ｃ、Ｄを有する。なお、図１において、符号Ｎは、半円１１ａの中心Ｏを通るテーブル１１の中心軸を示す。ただし、テーブル１１は、半円１１ａ、長方形１１ｂを組み合わせた全体形状を一体に構成すればよく、図１の半円１１ａ、長方形１１ｂは、単にテーブル１１の外形を説明する便宜上のものである。
【００１９】
テーブル１１は、上面に練習者が搭乗して立ち、ゴルフのスイング動作をすることができる大きさ、強度を有するものとする。なお、テーブル１１上の練習者は、主として直線ＣＤに沿ってスイングすることを想定しているが、必ずしも、それに限定しない。また、練習者は、テーブル１１上のゴルフボールを実際に打ってもよく、いわゆる素振りに留めてもよい。
【００２０】
各脚ユニット２０は、テーブル１１の下面に固定する長方形のケース体２１に対し、駆動モータ２２、ねじ軸２３、スライダ２４、脚２５を形成するリンク２５ａ、２５ｂ、車輪２６を組み付けて構成されている（図１、図２）。電磁ブレーキ・減速機付きの駆動モータ２２の出力軸は、フレキシブル継手２２ａを介してねじ軸２３の一端に連結されており、ねじ軸２３は、両端のベアリング２３ａ、２３ｂを介して支持されている。ただし、駆動モータ２２側のベアリング２３ａは、ラジアルベアリング、スラストベアリングの双方を組み合わせており、他方のベアリング２３ｂは、ラジアルベアリングであって、カバー付きのブラケットを介して支持されている。
【００２１】
ねじ軸２３は、スライダ２４を前後に貫通している。スライダ２４の一端には、ねじ軸２３に適合する図示しないナット部材が組み込まれている。また、スライダ２４は、前後各一対のローラ２４ａ、２４ａ…を有し、ねじ軸２３を正逆に回転駆動することにより、ケース体２１に沿って前後に直線移動することができる。
【００２２】
リンク２５ａの一端は、スライダ２４に回転自在に連結され、他端は、リンク２５ｂの一端と屈曲自在に連結されている。また、リンク２５ｂの他端は、ケース体２１の前端部に回転自在に連結されており、リンク２５ａ、２５ｂを連結する屈曲部には、接地用の車輪２６が回転自在に装着されている。
【００２３】
脚ユニット２０は、駆動モータ２２を介してねじ軸２３を正逆に回転させると、スライダ２４が前後に直線移動する（図２の矢印方向）。そこで、リンク２５ａ、２５ｂは、スライダ２４の前後動に従って双方の屈曲角θが変化し、車輪２６の接地点からのテーブル１１の高さ、すなわち脚２５の高さＨをＨ＝Ｈ1 〜Ｈ2 の範囲に変化させることができる。ただし、図２の二点鎖線、実線は、それぞれスライダ２４の後退限、前進限に対応するリンク２５ａ、２５ｂの屈曲形態を示している。すなわち、リンク２５ａ、２５ｂは、モータ駆動のねじ軸２３を駆動源とするスライダクランク機構の脚２５を形成している。
【００２４】
ケース体２１には、スライダ２４の後退限、前進限をそれぞれ検出するリミットスイッチＬＳ1 、ＬＳ2 が付設されている（図３）。また、ケース体２１には、スライダ２４内のローラ２４ａ、２４ａ…をガイドする左右のガイドレール２１ａ、２１ａが設けられている。ただし、図３には、一方のガイドレール２１ａのみが図示されている。
【００２５】
脚ユニット２０、２０…は、テーブル１１の下面にＹ字状に配置され、１組が中心軸Ｎ上に置かれている（図１）。また、各組の車輪２６、２６…は、それぞれテーブル１１の外周縁の円弧部と、角部Ｃ、Ｄとに向けられている。ただし、中心軸Ｎ上にない脚ユニット２０の車輪２６は、角部Ｃ、Ｄのいずれかに対し、正確に指向させてもよく、図１のように概ね指向させてもよい。各脚ユニット２０の車輪２６、２６…は、それぞれ脚２５の高さＨ＝Ｈ1 〜Ｈ2 によって前後に移動するが（図２の二点鎖線、実線）、各組の脚２５の高さＨを揃えると、テーブル１１の下面において、中心軸Ｎ上に頂点を有する二等辺三角形を形成するものとする。ちなみに、図１において、各組の車輪２６、２６…は、正三角形の各頂点に配置されている。
【００２６】
一方、テーブル１１上には、各脚ユニット２０に対応する押しボタンスイッチＳ、Ｓ…が配設されている（図４）。各押しボタンスイッチＳは、各脚ユニット２０の駆動モータ２２を正転、逆転させて脚２５の高さＨを高くするための「高」のスイッチＳ1 、低くするための「低」のスイッチＳ2 を組み合わせ、各スイッチＳ1 、Ｓ2 は、テーブル１１上の練習者Ｍが、たとえば使用中のゴルフクラブＧを利用して個別に押し操作可能である。ただし、図４のテーブル１１の上面には、全外周縁に垂下するカバーがかけられている。
【００２７】
練習者Ｍは、テーブル１１上に搭乗してゴルフのスイングを練習することができる。また、練習者Ｍは、押しボタンスイッチＳ、Ｓ…を介して各脚ユニット２０の脚２５の高さＨを設定することにより、テーブル１１の傾斜方向、傾斜角度を任意に設定し、ゴルフコースの起伏等によるスイング条件を適確に模擬して最適の練習環境を創出することができる。
【００２８】
以上の説明において、テーブル１１の外形は、図示の半月状以外に、正方形、長方形、台形などの四角形や、五角形、六角形などの多角形、円形、楕円形、長円形などとしてもよい。
【産業上の利用可能性】
【００２９】
この発明は、たとえば個人の住宅などに設置して個人的な使用に供するだけでなく、ゴルフ練習場などにおいて、不特定多数の練習者に利用させる事業用の用途に対しても、広く好適に適用することができる。
【符号の説明】
【００３０】
Ｍ…練習者
Ｓ…押しボタンスイッチ
Ｎ…中心軸
Ｃ、Ｄ…角部
Ｈ1 、Ｈ2 …高さ
１１…テーブル
２０…脚ユニット
２３…ねじ軸
２５…脚
２６…車輪
特許出願人      アクソンデータマシン株式会社
【図１】
2014008366.tif 000003
【図２】
2014008366.tif 000004
【図３】
2014008366.tif 000005
【図４】
2014008366.tif 000006